(57)【要約】【課題】身体の凹凸に対するフィット性に優れると共に、着用者の動きに対する追従性に優れ、排泄物の漏れが起こり難い吸収性物品を提供すること。【解決手段】吸収性コア４は、標準吸収部４０と、股下部Ｂに配され、標準吸収部４０に比して厚みが大きい突出部４１とを有する。突出部４１は、吸収性コア４の横方向Ｙにおける長さが最大である最大幅部４２と、該最大幅部４２を挟んで縦方向Ｘの前後に位置する前方側凸部４３及び後方側凸部４４とを有する。前方側凸部４３及び後方側凸部４４はそれぞれ、最大幅部４２の縦縁辺４２１，４２２の内側端部から縦方向Ｘの外方に延びる、一対の凸部側縁辺４３０，４４０を含んで構成されている。【選択図】図３
2018102471.tif 000002
【特許請求の範囲】
【請求項１】
着用者の前後方向に対応し、着用者の腹側から股間部を介して背側に延びる縦方向とこれに直交する横方向とを有すると共に、該股間部に配される股下部並びに該股下部より縦方向前方に配される前方部及び縦方向後方に配される後方部を有し、該前方部から該後方部にわたって延在する液保持性の吸収性コアを備えた吸収性物品であって、
前記吸収性コアは、標準吸収部と、前記股下部に配され、該標準吸収部に比して厚みが大きい突出部とを有し、
前記突出部は、前記吸収性コアの横方向における長さが最大であり、且つ
縦方向に所定長さに延びる一対の側縁辺、及び、該一対の側縁辺それぞれの縦方向前後端部から横方向内方に延びる縦縁辺を有する最大幅部と、
該最大幅部を挟んで縦方向の前後に位置する前方側凸部及び後方側凸部とを有し、
前記前方側凸部及び後方側凸部はそれぞれ、前記最大幅部の前記縦縁辺の内側端部から縦方向外方に延びる、一対の凸部側縁辺を含んで構成されている、吸収性物品。
【請求項２】
前記最大幅部の前記縦縁辺と、前記一対の凸部側縁辺とが直交している請求項１に記載の吸収性物品。
【請求項３】
前記標準吸収部と前記突出部とが一体成形されていると共に、両者の境界位置に境界溝が形成されており、該境界溝の形成部位は、該境界溝の周辺部に比して坪量が低い請求項１又は２に記載の吸収性物品。
【請求項４】
前記標準吸収部に、該標準吸収部の周縁から延びる複数の標準吸収部溝が形成されている請求項１〜３の何れか１項に記載の吸収性物品。
【請求項５】
前記標準吸収部溝が、前記一対の凸部側縁辺の縦方向外方への仮想延長線上に形成されている請求項４に記載の吸収性物品。
【請求項６】
前記一対の凸部側縁辺の縦方向外方への仮想延長線上に、前記標準吸収部溝どうしの交点が位置し、該交点の平面視における差し渡し長さが、該交点に連なる該標準吸収部溝の幅に比して長い請求項５に記載の吸収性物品。
【請求項７】
前記最大幅部における、前記一対の凸部側縁辺の縦方向内方への仮想延長線上に最大幅部溝が形成されている請求項１〜６の何れか１項に記載の吸収性物品。
【請求項８】
前記突出部は、横方向中央から横方向両外方に向かうに従って坪量が漸次減少する請求項１〜７の何れか１項に記載の吸収性物品。
【請求項９】
前記吸収性物品の非肌対向面に、該吸収性物品を着衣に固定するズレ止め部が、前記一対の凸部側縁辺又はその仮想延長線と平面視において重なるように配されている請求項１〜８の何れか１項に記載の吸収性物品。
【請求項１０】
さらに、前記吸収性コアの非肌対向面側に配される非肌側シートを具備し、前記突出部は、前記標準吸収部の非肌対向面位置から該非肌側シート側に突出している請求項１〜９の何れか１項に記載の吸収性物品。
【発明の詳細な説明】
【技術分野】
【０００１】
本発明は、中高部、隆起部などとも呼ばれる、肉厚の突出部を有する吸収性コアを備えた吸収性物品に関する。
【背景技術】
【０００２】
生理用ナプキン等の吸収性物品においては、着用者の肌に対するフィット性が不十分で肌との隙間があると、経血等の排泄物が肌の表面を伝って臀部などに流れてしまい、液漏れに繋がる場合がある。そこで、吸収性物品中の吸収性コアにおける、着用者の膣口等の排泄部に対向配置される部位に、周辺部に比して厚みが大きい突出部を形成して肌対向面に隆起させることによって、吸収性物品の身体に対するフィット性を高め、液漏れを防止することが従来行われている。また、平面方向に延設された溝状の空間が設けられたブロック状の吸収性コアが知られている。
【０００３】
例えば特許文献１には、突出部と該突出部に比して厚みが小さい部位（標準吸収部）とが一体形成された構成の吸収性コアに溝を格子状に形成することで、該吸収性コアをブロック状に区画することが記載されている。このようなブロック状の吸収性コアは、その構造に起因して外力に対し柔軟に変形しやすいので、複雑に起伏する肌面に合わせて変形し隙間なく面で当接する人体適合性や、着用者の身体の動きに合わせて変形しその肌面と面で当接した状態を維持する動作追随性に優れている。
【０００４】
また特許文献２には、生理用ナプキンの吸収性コアとして、着用者の股間部に配される股下部に隆起部（突出部）を有し、該隆起部が、該吸収性コアの横方向の全長即ち全幅にわたって延在する最大幅部と、該最大幅部から縦方向前方及び後方の双方に膨出する凸部を有するものが記載されている。尚、縦方向は、着用者の前後方向に対応する方向であり、横方向は、該縦方向に直交する方向である。この隆起部の凸部は、前記最大幅部に連接され、該最大幅部から離れるに従って横方向長さ即ち幅が漸次短くなる平面視等脚台形状部分と、幅が一定の平面視四角形形状部分とを有し、該平面視四角形形状部分は前記吸収性コアの縦方向端に達している。特許文献２に記載の吸収性コアは、横漏れ防止性及びフィット性に優れるとされている。
【先行技術文献】
【特許文献】
【０００５】
【特許文献１】特開２０１４−１０４０９３号公報
【特許文献２】実公昭６２−４０５８０号公報
【発明の概要】
【発明が解決しようとする課題】
【０００６】
特許文献１記載の吸収性物品は、突出部を有するブロック状の吸収性コアを備えていることにより、フィット性、防漏性などに優れるが、突出部が吸収性コアの横方向中央部に形成されていて、横方向の全長にわたって延在していないため、吸収性物品が適正な着用位置から横方向にずれた場合に、そのずれの程度によっては、突出部が着用者の排泄部に対応しなくなり、所定の効果が十分に発揮されない点で改良の余地があった。
【０００７】
この点、特許文献２記載の吸収性物品においては、着用者の排泄部に対向配置される部位において隆起部が前記最大幅部を有しているため、吸収性物品が適正な着用位置から横方向に多少ずれても、該最大幅部が着用者の排泄部に対応することができる。しかし、特許文献２記載の吸収性物品における隆起部は、その特有の形状に起因して、着用者の身体形状に沿うように変形し難く、フィット性及び防漏性の点で改良の余地があった。
【０００８】
従って本発明の課題は、身体の凹凸に対するフィット性に優れると共に、着用者の動きに対する追従性に優れ、排泄物の漏れが起こり難い吸収性物品を提供することに関する。
【課題を解決するための手段】
【０００９】
本発明は、着用者の前後方向に対応し、着用者の腹側から股間部を介して背側に延びる縦方向とこれに直交する横方向とを有すると共に、該股間部に配される股下部並びに該股下部より縦方向前方に配される前方部及び縦方向後方に配される後方部を有し、該前方部から該後方部にわたって延在する液保持性の吸収性コアを備えた吸収性物品であって、前記吸収性コアは、標準吸収部と、前記股下部に配され、該標準吸収部に比して厚みが大きい突出部とを有し、前記突出部は、前記吸収性コアの横方向における長さが最大であり、且つ縦方向に所定長さに延びる一対の側縁辺、及び、該一対の側縁辺それぞれの縦方向前後端部から横方向内方に延びる縦縁辺を有する最大幅部と、該最大幅部を挟んで縦方向の前後に位置する前方側凸部及び後方側凸部とを有し、前記前方側凸部及び後方側凸部はそれぞれ、前記最大幅部の前記縦縁辺の内側端部から縦方向外方に延びる、一対の凸部側縁辺を含んで構成されている、吸収性物品である。
【発明の効果】
【００１０】
本発明によれば、身体の凹凸に対するフィット性に優れると共に、着用者の動きに対する追従性に優れ、排泄物の漏れが起こり難い吸収性物品が提供される。
【図面の簡単な説明】
【００１１】
【図１】図１は、本発明の吸収性物品の一実施形態である生理用ナプキンの一例の肌対向面側（肌側シート側）を模式的に示す斜視図である。
【図２】図２は、図１に示す生理用ナプキンのＩ−Ｉ線断面を模式的に示す横断面図である。
【図３】図３は、図１に示す生理用ナプキンにおける吸収性コアの非肌対向面側の模式的な平面図である。
【図４】図４は、図１に示す生理用ナプキンの着用状態における肌対向面側（肌側シート側）を模式的に示す斜視図である。
【図５】図５は、図１に示す生理用ナプキンの非肌対向面側（非肌側シート側）を模式的に示す平面図である。
【図６】図６は、本発明に係る吸収性コアの他の実施形態の非肌対向面側の模式的な平面図（図３相当図）である。
【図７】図７は、本発明に係る吸収性コアのさらに他の実施形態の非肌対向面側の模式的な平面図（図３相当図）である。
【図８】図８（ａ）〜図８（ｄ）は、それぞれ、本発明に係る吸収性コアにおける突出部の変形例の模式的な平面図である。
【発明を実施するための形態】
【００１２】
以下、本発明の吸収性物品をその好ましい実施形態に基づき図面を参照して説明する。図１及び図２は、本発明の吸収性物品の一実施形態である生理用ナプキン１が示されている。ナプキン１は、図１に示すように、着用者の前後方向に対応し、着用者の腹側から股間部を介して背側に延びる縦方向Ｘと、これに直交する横方向Ｙとを有すると共に、前方部Ａ、股下部Ｂ及び後方部Ｃを縦方向Ｘに有している。股下部Ｂは、ナプキン１の着用時に着用者の排泄部（膣口等）に対向配置される排泄部対向部を有し、該排泄部対向部は通常、股下部Ｂの横方向Ｙの中央部に位置する。前方部Ａは、股下部Ｂよりも着用者の腹側即ち前側に配される部分であり、後方部Ｃは、股下部Ｂよりも着用者の背側即ち後側に配される部分である。
【００１３】
ナプキン１は、図１に示すように、縦方向Ｘに長い形状の吸収性本体５と、吸収性本体５における股下部Ｂの縦方向Ｘに沿う両側部それぞれから横方向Ｙの外方に延出する一対のウイング部５Ｗ，５Ｗとを有している。ウイング部５Ｗの非肌対向面には、該ウイング部５Ｗをショーツ等の着衣に固定するウイング部粘着部（図示せず）が形成されている。ウイング部５Ｗは、ショーツ等の着衣のクロッチ部の非肌対向面（外面）側に折り返されて用いられる。前記ウイング部粘着部は、その使用前においてはフィルム、不織布、紙等からなる剥離シート（図示せず）によって被覆されている。
【００１４】
本発明の吸収性物品における股下部Ｂは、ナプキン１のように吸収性物品がウイング部を有する場合には、該吸収性物品の縦方向（長手方向、図中のＸ方向）においてウイング部の縦方向Ｘにおける前方側の付け根と後方側の付け根とで区分される領域であり、ナプキン１を例にとれば、一対のウイング部５Ｗ，５Ｗそれぞれの縦方向Ｘにおける前方側の付け根どうしを結んで横方向Ｙに延びる仮想直線が股下部Ｂの前端、後方側の付け根どうしを結んで横方向Ｙに延びる仮想直線が股下部Ｂの後端である。また、ウイング部を有しない吸収性物品における股下部は、吸収性物品が個装形態に折り畳まれた際に生じる、該吸収性物品を横方向（幅方向、図中のＹ方向）に横断する２本の折り畳み線について、該吸収性物品の縦方向の前端から数えて第１折り畳み線と第２折り畳み線とに囲まれた領域を意味する。
【００１５】
吸収性本体５は、肌対向面側に配された液透過性の肌側シート２と、非肌対向面側に配された液不透過性の非肌側シート３と、両シート２，３間に介在配置された液保持性の吸収性コア４とを具備する。吸収性本体５は、縦方向Ｘに長い縦長の形状を有し、その長手方向が縦方向Ｘに一致し、幅方向が横方向Ｙに一致している。肌側シート２及び非肌側シート３と吸収性コア４（吸収性コア４が図示しないコアラップシートで被覆されている場合は該コアラップシート）との間は、ドット、スパイラル、ストライプ等のパターン塗工された接着剤により接合されていても良い。
【００１６】
ナプキン１においては、吸収性本体５の肌対向面即ち肌側シート２の肌対向面における縦方向Ｘに沿う両側部に、吸収性コア４の縦方向Ｘに沿う左右両側部に重なるように、一対のサイドシート６，６が吸収性本体５の縦方向Ｘの略全長にわたって配されている。サイドシート６の縦方向Ｘに延びる両側縁のうち、相対的に吸収性本体２に近い内側縁部は吸収性コア４と重なり、該内側縁部とは反対側の外側縁部は、吸収性コア４の横方向Ｙの外方に位置している。ナプキン１において着用者の肌から最も近い位置に配される部材は、ナプキン１の横方向Ｙの中央部においては肌側シート２、その両側部においてはサイドシート６であり、両シート２，６は着用者の肌に接触し得る。肌側シート２、非肌側シート３及びサイドシート６は、それぞれ、吸収性コア４の周縁から延出し、それらの延出部の少なくとも２枚のシートにおける端部にて、接着剤、ヒートシール等の公知の接合手段により互いに接合されてエンドシール部７が形成されている。
【００１７】
本明細書において、「肌対向面」は、吸収性物品又はその構成部材（例えば吸収性コア４）における、吸収性物品の着用時に着用者の排泄部に向けられる面、即ち相対的に着用者の肌に近い側であり、「非肌対向面」は、吸収性物品又はその構成部材における、吸収性物品の着用時に排泄部とは反対側（着衣側）に向けられる面、即ち相対的に着用者の肌から遠い側である。尚、ここでいう「着用時」は、通常の適正な着用位置、即ち当該吸収性物品の正しい着用位置が維持された状態を意味し、吸収性物品が該着用位置からずれた状態にある場合は含まない。
【００１８】
肌側シート２としては、この種の吸収性物品に従来使用されている各種のものを特に制限なく用いることができ、経血などの体液を透過し得る液透過性シートであることを前提として、合成繊維又は天然繊維からなる織布や不織布、多孔性シート等を用いることができる。肌側シート２の一例として、コットン等の天然繊維を材料とする不織布や、各種合成繊維に親水化処理を施したものを材料とする不織布を用いることができる。例えば、芯成分にポリプロピレンやポリエステル、鞘成分にポリエチレンを用いた、芯鞘構造型（サイドバイサイド型も含む）複合繊維をカーディングによりウエブ化した後、エアスルー法によって不織布（この後所定箇所に開孔処理を施しても良い）としたものが挙げられる。また、透液性の高さの点（ドライ感）から、低密度ポリエチレン等のポリオレフィンからなる開孔シートも好ましく用いることができる。
【００１９】
非肌側シート３としては、この種の吸収性物品に従来使用されている各種のものを特に制限なく用いることができ、液不透過性（撥水性を含む）で、且つ透湿性のものが好ましく用いられる。具体的に十分な水蒸気透過性を得るために、炭酸カルシウム等のフィラーからなる微粉を分散させたポリエチレン等の合成樹脂製のフィルムを延伸し、微細な孔を設けた多孔質フィルムは、非肌側シート３として好適に使用できる。サイドシート６としては、非肌側シート３として使用可能なものを用いることができるほか、非肌側シート３よりも液透過性の低い不織布等を用いることもできる。
【００２０】
図３には、吸収性コア４の非肌対向面側が示されている。図１及び図３に示すように、吸収性コア４は縦方向Ｘに長い縦長の形状を有し、その長手方向が縦方向Ｘに一致し、幅方向が横方向Ｙに一致している。吸収性コア４は、前方部Ａから股下部Ｂを介して後方部Ｃにわたって延在している。吸収性コア４は、パルプ繊維等の繊維材料からなる繊維集合体を含んでなる。繊維材料としては、従来、生理用ナプキンやパンティライナー、使い捨ておむつ等の吸収性物品の吸収体に用いられている各種のものを特に制限なく用いることができる。該繊維材料は、全体又は一部がパルプ繊維であることが好ましく、全体がパルプ繊維であることがより好ましい。
また、吸収性コア４には吸水性ポリマーが含有されていてもよい。吸水性ポリマーが含有されることで、より安定的に大量の血液などの排泄液を素早く吸収し、保持することができる。
吸収性コア４の肌対向面及び非肌対向面の両面が、紙、不織布などからなる液透過性のコアラップシート（図示せず）で被覆されている。
また、吸収性コア４には、消臭剤や抗菌剤等を必要に応じて配合しても良い。
【００２１】
吸収性コア４は、標準吸収部４０と、股下部Ｂに配され、標準吸収部４０に比して厚みが大きい突出部４１とを有する。本実施形態においては、標準吸収部４０は、吸収性コア４において相対的に厚み及び坪量の双方が小さい領域、突出部４１は、吸収性コア４において相対的に厚み及び坪量の双方が大きい領域であり、吸収性コア４の縦方向Ｘの前方側及び後方側がそれぞれ標準吸収部４０、その前後一対の標準吸収部４０，４０に挟まれた縦方向Ｘの中央部が突出部４１である。突出部４１は、少なくとも前記排泄部対向部が存する股下部Ｂに配され、本実施形態においては図１及び図３に示すように、股下部Ｂの縦方向Ｘの全長にわたり、さらに前方部Ａ及び後方部Ｃに延在している。標準吸収部４０は前方部Ａ及び後方部Ｃに配されている。本実施形態においては、突出部４１は、図１及び図２に示すように、標準吸収部４０の非肌対向面４０ｂより非肌側シート３側に突出している。
【００２２】
突出部４１は、図３に示すように吸収性コア４を平面視して、吸収性コア４の横方向Ｙにおける長さが最大である最大幅部４２と、該最大幅部４２を挟んで縦方向Ｘの前後に位置する前方側凸部４３及び後方側凸部４４とを有する。最大幅部４２の横方向Ｙの長さは、吸収性コア４の横方向Ｙの長さと同じであることが好ましい。前方側凸部４３は最大幅部４２から縦方向Ｘの前方に膨出し、後方側凸部４４は最大幅部４２から縦方向Ｘの後方に膨出している。本実施形態においては、最大幅部４２、前方側凸部４３及び後方側凸部４４からなる、突出部４１は、坪量及び厚みが何れも均一である。最大幅部４２及び両凸部４３，４４は、何れも標準吸収部４０の非肌対向面４０ｂより非肌側シート３側に突出しているところ、これら各部４２，４３，４４の突出高さＨ（図２参照）は、少なくとも設計上は互いに同じであり、実際の製品においてもほぼ同じである。
【００２３】
突出部４１（最大幅部４２、前方側凸部４３及び後方側凸部４４）の突出高さＨ（図２参照）は、好ましくは１．０ｍｍ以上、さらに好ましくは２．０ｍｍ以上、そして、好ましくは８．０ｍｍ以下、さらに好ましくは６．０ｍｍ以下である。突出部４１の突出高さＨは、高すぎても低すぎても、却ってフィット性、漏れ防止性に悪影響を及ぼすおそれがある。突出部４１の高さＨは、標準吸収部４０における突出部４１の形成面（本実施形態では非肌対向面４０ｂ）と突出部４１の頂部との差であり、吸収性コア４を無荷重の状態で定盤に静置し、ハイトゲージを用いて常法に従って測定される。尚、斯かる測定において、測定対象のナプキン１に、個装形態に折り畳まれた際に生じる、ナプキン１を横方向Ｙに横断する折り畳み線が存在する場合は、該折り畳み線の存在しない部分において測定を行う。
【００２４】
最大幅部４２は、図３に示すように、縦方向Ｘに所定長さに延びる一対の側縁辺４２０，４２０と、該一対の側縁辺４２０，４２０それぞれの縦方向Ｘの前後端部から横方向Ｙの内方（横方向Ｙの中央）に延びる縦縁辺４２１，４２２とを有する。本実施形態においては、最大幅部４２は、図３に示す如き平面視において四角形形状（長方形形状）をなし、縦方向Ｘに延びる左右一対の側縁辺４２０，４２０と、該両側縁辺４２０，４２０に連接された前後一対の縦縁辺４２１，４２２とを有する。最大幅部４２の両側縁辺４２０，４２０は、股下部Ｂにおいて吸収性コア４における最大幅部４２が存する部位の両側縁を形成している。また、最大幅部４２の前側縦縁辺４２１は、前方部Ａと股下部Ｂとの境界、即ち一対のウイング部５Ｗ，５Ｗそれぞれの縦方向Ｘにおける前方側の付け根どうしを結んで横方向Ｙに延びる仮想直線とほぼ同位置にあり、後側縦縁辺４２２は、股下部Ｂと後方部Ｃとの境界、即ち一対のウイング部５Ｗ，５Ｗそれぞれの縦方向Ｘにおける後方側の付け根どうしを結んで横方向Ｙに延びる仮想直線とほぼ同位置にある。つまり、股下部Ｂに位置する吸収性コア４は、そのほぼ全域が突出部４１の一部である最大幅部４２である。従ってナプキン１においては、少なくともナプキン１の着用時において、吸収性本体５の肌対向面における股下部Ｂに位置する部位のほぼ全体に、着用者の肌側に向かって突出する隆起部１０が形成される。
【００２５】
このように、フィット性、漏れ防止性などの諸特性の発現に重要な役割を担う隆起部１０が、股下部Ｂにおいて吸収性コア４（吸収性本体５）の横方向Ｙの全長にわたって存在することで、例えば、着用者の動きによってナプキン１の着用位置が適正な位置から横方向Ｙに多少ずれた場合でも、隆起部１０は依然として着用者の股間部に当接し得るようになる。従ってナプキン１は、着用者の動きに対する追従性、フィット性、漏れ防止性に優れる。
【００２６】
図１及び図３に示すように、前方側凸部４３は前方部Ａに、後方側凸部４４は後方部Ｃに配されている。両凸部４３，４４と最大幅部４２とは一体成形されている。本明細書において「一体成形されている」とは、複数の部位、例えば前方側凸部４３と最大幅部４２とが、接着剤や熱融着等の接合手段を介さずに互いに分離不可能に一体化されており、同一の材料から一体的に形成されていることを意味する。吸収性コア４の複数の部位が一体成形されていると、経血等の排泄液がスムーズに移動し得る連続性を有するようになる。
【００２７】
両凸部４３，４４は、何れも最大幅部４２よりも横方向Ｙの長さ即ち幅が小さく、吸収性コア４の横方向Ｙの中央部に位置している。図３に示すように、前方側凸部４３は、最大幅部４２の前側縦縁辺４２１の内側端部に連接された一対の凸部側縁辺４３０，４３０を有し、後方側凸部４４は、最大幅部４２の後側縦縁辺４２２の内側端部に連接された一対の凸部側縁辺４４０，４４０を有する。最大幅部４２の縦縁辺４２１，４２２は、それぞれ、横方向Ｙの外方に位置する外側端部と、内方に位置する前記内側端部とを有し、該外側端部は、側縁辺４２０の縦方向Ｘの前後端部に一致している。本実施形態においては、吸収性コア４は、該吸収性コア４を縦方向Ｘに二分して横方向Ｙに延びる仮想的な縦中心線ＣＬｘを基準として前後対称に形成されている。
【００２８】
本実施形態のナプキン１の主たる特徴の１つとして、図３に示す如き吸収性コア４の平面視において、最大幅部４２の前側縦縁辺４２１に連接された前方側凸部４３の一対の凸部側縁辺４３０，４３０、及び最大幅部４２の後側縦縁辺４２２に連接された後方側凸部４４の一対の凸部側縁辺４４０，４４０が、それぞれ、縦方向Ｘに延びている点が挙げられる。本実施形態においては、図３に示すように、最大幅部４２の縦縁辺４２１，４２２は、平面視において横方向Ｙに平行な直線状をなし、また、前方側凸部４３の凸部側縁辺４３０及び後方側凸部４４の凸部側縁辺４４０は、平面視において縦方向Ｘに平行な直線状をなしている。
【００２９】
最大幅部４２の縦縁辺４２１，４２２及び両凸部４３，４４の凸部側縁辺４３０，４４０は、何れも相対的に厚み及び坪量が大きく高剛性の突出部４１と、相対的に厚み及び坪量が小さく低剛性の標準吸収部４０との境界であり、ナプキン１をこれらの境界で折れ曲がりやすくする可撓軸として機能し得る。吸収性コア４においては、最大幅部４２、前方側凸部４３及び後方側凸部４４からなる、突出部４１が、最も剛性が高い高剛性領域、突出部４１が存在せず標準吸収部４０のみからなる部分が最も剛性が低い低剛性領域、そして、標準吸収部４０における、両凸部４３，４４と縦方向Ｘにおいて同位置に存する部分、即ち両凸部４３，４４それぞれの横方向Ｙの両外方に位置する部分が、両領域の中間の剛性を有する中剛性領域となっている。
【００３０】
そしてナプキン１は、この突出部４１の特徴的な構成によりその着用状態において、着用者の股間部の形状に沿うように変形し、着用者の肌にフィット性良く密着する。具体的には図４に示すように、前方部Ａ及び後方部Ｃが、最大幅部４２の横方向Ｙに延びる縦縁辺４２１，４２２を折曲線として肌対向面側に折れ曲がって起立することで、吸収性コア４延いてはナプキン１全体が、着用者の身体に沿いやすい舟型形状に変形する。また、股下部Ｂにおいては、前方側凸部４３の一対の凸部側縁辺４３０，４３０と後方側凸部４４の一対の凸部側縁辺４４０，４４０とを結ぶ、縦方向Ｘに延びる一対の仮想延長線４５０を折曲線として、一対の仮想延長線４５０，４５０よりも横方向Ｙの外方に位置する部位（股下部Ｂの横方向Ｙの両側部）が非肌対向面側に折れ曲がることで、股下部Ｂ全体が、一対の仮想延長線４５０，４５０に挟まれた領域即ち横方向Ｙの中央部を頂部とする、鞍型に変形する。この鞍型の股下部Ｂの頂部は、縦方向Ｘに延びる２本の可撓軸として機能する一対の仮想延長線４５０，４５０によって画成されているため、湾曲などの変形を起こし難く、平面形状を維持しやすい。そのためナプキン１の着用時には、鞍型の股下部Ｂの頂部が、着用者の肌に対して、一定の面積を有する「面」で接することができ、それによってフィット性、着用者の動きに対する追従性、防漏性などの向上が期待できる。また、最大幅部４２の横方向Ｙに延びる縦縁辺４２１，４２２は、ナプキン１を縦方向Ｘに三つ折りするなどして個装形態とする場合の折り起点としても機能し、ナプキン１を縦縁辺４２１，４２２にて容易に折り曲げることができるため、ナプキン１は、着用時の性能のみならず、加工性にも優れる。
【００３１】
これに対し、例えば特許文献２記載の生理用ナプキンにおいては、股下部に吸収性コアの突出部の最大幅部が位置し、その最大幅部の縦方向の前後に、横方向長さ即ち幅が縦方向外方に向かうに従って漸次減少する、平面視等脚台形状部分の突出部が位置している。つまり、股下部が変形する際の可撓軸として機能し得る、この平面視等脚台形状部分の突出部の両側縁は、それそれ、最大幅部の縦方向に沿う側縁の一端から縦方向外方且つ横方向内方に向かって斜めに延びており、本実施形態のナプキン１における両凸部４３，４４の凸部側縁辺４３０，４４０が縦方向に延びているのとは対照的である。斯かる構成の特許文献２記載の生理用ナプキンの着用時において、股下部の横方向への変形の起点となるのは、主として、股下部Ｂの横方向中央を通って縦方向に延びる１本の可撓軸のみであるため、該股下部は、その横方向中央を頂点とする山型形状もしくは、谷型形状に変形しやすく、その山型もしくは谷型の股下部の頂部は、着用者の肌に対して「線」で接する。それに対し、本実施形態のナプキン１は、図４に示すような平面形状を維持し易く、着用者の肌に対して「面」で接する。従ってナプキン１は、フィット性、着用者の動きに対する追従性、防漏性などの点で優れる。
【００３２】
尚、最大幅部４２の縦縁辺４２１，４２２及び両凸部４３，４４の凸部側縁辺４３０，４４０の平面視形状は、それぞれ、図３に示す如き直線状に限定されず、例えば波線状、ジグザグ状など、湾曲部や屈曲部を有する線状も許容され得る（図８参照）。
また、最大幅部４２の縦縁辺４２１，４２２に関して、「横方向Ｙに延びる」（側縁辺４２０の前後端部から横方向Ｙの内方に延びる）とは、図３に示す如き、縦縁辺４２１，４２２が、側縁辺４２０の一端部を基点として、横方向Ｙに対して平行に延びる形態（横方向Ｙに対する角度が０度の形態）に限定されず、縦縁辺４２１，４２２の横方向Ｙに対する角度が好ましくは４５度以下、さらに好ましくは３０度以下の形態、即ち縦縁辺４２１，４２２が実質的に横方向Ｙの中央部に向かって延びる形態も許容され得る（図８参照）。
また、両凸部４３，４４の凸部側縁辺４３０，４４０に関して、「縦方向Ｘに延びる」（縦縁辺４２１，４２２の内側端部から縦方向Ｘの外方に延びる）とは、図３に示す如き、凸部側縁辺４３０，４４０が縦方向Ｘに対して平行に延びる形態（縦方向Ｘに対する角度が０度の形態）に限定されず、凸部側縁辺４３０，４４０の縦方向Ｘに対する角度が好ましくは±４５度以下、さらに好ましくは±３０度以下の形態、即ち凸部側縁辺４３０，４４０が実質的に縦方向Ｘに延びる形態も許容され得る（図８参照）。
しかし、前述した作用効果をより一層確実に奏させるようにする観点からは、図３に示すように、最大幅部４２の縦縁辺４２１，４２２は、平面視において横方向Ｙに平行な直線状をなし、また、前方側凸部４３の凸部側縁辺４３０及び後方側凸部４４の凸部側縁辺４４０は、平面視において縦方向Ｘに平行な直線状をなしていることが好ましい。
【００３３】
前述した作用効果をより一層確実に奏させるようにする観点から、突出部４１（最大幅部４２、前方側凸部４３及び後方側凸部４４）の各部の寸法等は次のように設定することが好ましい。
突出部４１の坪量は、好ましくは１００ｇ／ｍ2以上、さらに好ましくは２００ｇ／ｍ2以上、そして、好ましくは１５００ｇ／ｍ2以下、さらに好ましくは１２００ｇ／ｍ2以下である。
最大幅部４２の縦方向Ｘの長さ（側縁辺４２０の長さ）Ｌ１（図３参照）は、吸収性コア４の縦方向Ｘの全長に対して、好ましくは２０％以上、さらに好ましくは２５％以上、そして、好ましくは９０％以下、さらに好ましくは７５％以下である。
前記長さＬ１は、好ましくは２５ｍｍ以上、さらに好ましくは３０ｍｍ以上、そして、好ましく３６０ｍｍ以下、さらに好ましくは３００ｍｍ以下である。
【００３４】
前方側凸部４３及び後方側凸部４４の縦方向Ｘの長さ（凸部側縁辺４３０，４４０の長さ）Ｌ２（図３参照）は、それぞれ、吸収性コア４の縦方向Ｘの全長に対して、好ましくは３％以上、さらに好ましくは５％以上、そして、好ましくは７５％以下、さらに好ましくは６０％以下である。
前記長さＬ２は、好ましくは５ｍｍ以上、さらに好ましくは１０ｍｍ以上、そして、好ましくは２９０ｍｍ以下、さらに好ましくは２４０ｍｍ以下である。
両凸部４３，４４の横方向Ｙの長さ即ち幅Ｌ３（図３参照）は、それぞれ、吸収性コア４の横方向Ｙの全長に対して、好ましくは１０％以上、さらに好ましくは１５％以上、そして、好ましくは８０％以下、さらに好ましくは７０％以下である。
前記幅Ｌ３は、好ましくは１０ｍｍ以上、さらに好ましくは１５ｍｍ以上、そして、好ましくは６５ｍｍ以下、さらに好ましくは５５ｍｍ以下である。
【００３５】
本実施形態のナプキン１においては、図３に示すように、最大幅部４２の前側縦縁辺４２１とこれに連接する前方側凸部４３の一対の凸部側縁辺４３０，４３０とが直交しており、また、最大幅部４２の後側縦縁辺４２２とこれに連接する後方側凸部４４の一対の凸部側縁辺４４０，４４０とが直交している。斯かる構成により、前述した、縦縁辺４２１，４２２を折り起点とする吸収性コア４の縦方向Ｘへの変形及び個装折りが、より一層安定的になされるようになる。また、両凸部４３，４４の凸部側縁辺４３０，４４０及びそれらの延長線４５０に一致する、縦方向Ｘに延びる２本の可撓軸が、より一層安定的に形成されるようになるため、股下部Ｂが図４に示すように鞍型に変形したときに、その鞍型の股下部Ｂの頂部が平面形状をより一層維持しやすくなる。
【００３６】
また本実施形態においては、標準吸収部４０と最大幅部４２、前方側凸部４３及び後方側凸部４４から構成される突出部４１とが一体成形されていると共に、図３に示すように、その標準吸収部４０と突出部４１との境界位置に境界溝４５が形成されている。即ちこの境界溝４５は、最大幅部４２の縦縁辺４２１，４２２、両凸部４３，４４の凸部側縁辺４３０，４４０及び縦縁辺４３１，４４１に沿って形成されており、突出部４１を挟んで縦方向Ｘの前後に一対配されている。境界溝４５は、図２に示すように、標準吸収部４０の非肌対向面４０ｂに開口を有し、標準吸収部４０の肌対向面４０ａ側が境界溝４５の底部を形成している。
【００３７】
そして本実施形態においては、境界溝４５の底部を形成する部位は、その周辺部に比して坪量が低い。斯かる構成により、吸収性コア４は境界溝４５にてより一層折れ曲がりやすくなるところ、前述した吸収性コア４の折り変形の起点となる、最大幅部４２の縦縁辺４２１，４２２及び両凸部４３，４４の凸部側縁辺４３０，４４０は境界溝４５と一致しているので、吸収性コア４の図４に示す如き好ましい変形がより一層確実になされるようになる。
【００３８】
境界溝４５は、積繊装置を用いた公知の吸収性コアの製造方法において、吸収性材料を含むコア形成材料の積繊量を周辺部に比して意図的に低減させることで形成された凹部であり、いわゆるエンボス溝、即ち、坪量が均一で表面に凹凸のない扁平板状の吸収性コアに対しエンボス加工（押圧処理）を施すことによって形成された凹部ではない。従って、通常のエンボス溝は、エンボス加工によりコア形成材料が圧密化されているため周辺部に比して高密度であるが、境界溝４５は、その形成過程で圧密化されておらず、且つ境界溝４５及びその周辺部に対して一体的にエンボス加工を施した場合に該周辺部が優先的に圧密化されるため、該周辺部（非溝形成部）に比して低密度となる。また、通常のエンボス溝は、その周辺部との比較において坪量に実質的な差はないが、境界溝４５はその周辺部よりも低坪量である。
【００３９】
境界溝４５の形成に利用し得る公知の吸収性コアの製造方法は、例えば、空気流に乗せて供給したコア形成材料を、積繊装置（回転ドラム等）の外面に形成された集積用凹部の底部に吸引堆積させる工程を有するところ、斯かる工程において、底部の開孔率が部分的に異なる集積用凹部を使用する、具体的には、境界溝４５の形成予定部位に対応する底部の開孔率が相対的に低く調整されている集積用凹部を使用することにより、境界溝４５が形成された肉薄且つ低坪量の部位と、溝（凹部）が形成されていない肉厚且つ高坪量の部位とを有する、吸収性コア４を形成することができる。
【００４０】
本実施形態における吸収性コア４は、このように、コア形成材料の積繊量を部分的に異ならせることで形成されており、コア形成材料の積繊量が相対的に少ない部位が標準吸収部４０、コア形成材料の積繊量が相対的に多い部位が突出部４１（最大幅部４２、前方側凸部４３及び後方側凸部４４）である。突出部４１は標準吸収部４０に比して、厚みだけでなく、坪量も大きい。尚、吸収性コア４が繊維材料の他に吸水性ポリマーを含有する場合は、その吸収性コア４における吸水性ポリマーの坪量についても、突出部４１は標準吸収部４０に比して大きい。
【００４１】
本実施形態においては、図２及び図３に示すように、標準吸収部４０に、該標準吸収部４０の周縁から所定方向に延びる標準吸収部溝４６が複数形成されている。標準吸収部溝４６は境界溝４５と同様に形成されており、従って標準吸収部溝４６の形成部位は、周辺部に比して厚み及び坪量が小さく、低剛性である。つまり標準吸収部４０は、標準吸収部溝４６にて折れ曲がりやすくなされている。このように、突出部４１の周囲に位置する標準吸収部４０に折り変形の起点となり得る標準吸収部溝４６が複数形成されていることで、標準吸収部４０の変形剛性が低下し、突出部４１に対する相対的な剛性差が増大するため、前述した、最大幅部４２の縦縁辺４２１，４２２を折り起点とする吸収性コア４の縦方向Ｘへの変形及び個装折りが、より一層安定的になされるようになると共に、その吸収性コア４の変形時に股下部Ｂが図４に示す如く鞍型に変形しやすくなり、且つその鞍型の頂部の平面形状がより一層維持されやすくなり、結果として、ナプキン１全体で吸収性コア４の変形によるフィット性がより一層向上し得る。
【００４２】
吸収性コア４においては、標準吸収部溝４６は、図２に示すように、境界溝４５と同様に、標準吸収部４０の非肌対向面４０ｂに開口を有し、標準吸収部４０の肌対向面４０ａ側が標準吸収部溝４６の底部を形成している。
【００４３】
また吸収性コア４においては、図３に示すように、複数の直線状の標準吸収部溝４６が縦方向Ｘに延びていると共に、複数の直線状の標準吸収部溝４６が横方向Ｙにも延びており、このように互いに直交する複数本の直線状の標準吸収部溝４６及び境界溝４５によって、標準吸収部４０は複数の小領域４７に区画化されている。標準吸収部４０において、小領域４７は相対的に坪量の大きい高坪量部、溝４５，４６の形成部位は相対的に坪量の小さい低坪量部である。複数の小領域４７の形状は互いに略同じであり、何れも平面視して矩形形状をなし、縦方向Ｘの長さが横方向Ｙの長さに比して長い。一方、標準吸収部溝４６は、縦方向Ｘ及び横方向Ｙの両方向に延びて互いに連結し、さらに境界溝４５とも連結し、前方部Ａ及び後方部Ｃそれぞれにおいて、格子状の連続溝を形成している。
【００４４】
このように標準吸収部４０は、高坪量部たる小領域４７と、該小領域４７を包囲する線状の低坪量部たる標準吸収部溝４６の形成部位とからなるブロック領域を多数有する、ブロック構造を有しており、各ブロック領域は個々に独立している。このようなブロック構造の標準吸収部４０の存在により、吸収性コア４は、縦方向Ｘ及び横方向Ｙの双方に柔軟なものとなり、そのことに起因して吸収性コア４は着用者の身体の形状に沿いやすいものとなる。さらに、経血等の排泄物が、相対的に厚みの薄い標準吸収部溝４６の形成部位に案内されてこれを流れ得るため、吸収性コア４は縦方向Ｘ及び横方向Ｙの液拡散性に優れる。
【００４５】
前述した境界溝４５及び標準吸収部溝４６による作用効果をより一層確実に奏させるようにする観点から、両溝４５，４６の幅（溝の延びる方向と直交する方向の長さ）は、好ましくは０．１ｍｍ以上、さらに好ましくは０．５ｍｍ以上、そして、好ましくは５．０ｍｍ以下、さらに好ましくは３．０ｍｍ以下である。
同様の観点から、両溝４５，４６の形成部位における吸収性コア４の厚みは、好ましくは０．０８ｍｍ以上、さらに好ましくは０．１５ｍｍ以上、そして、好ましくは７．０ｍｍ以下、さらに好ましくは３．５ｍｍ以下である。溝４５，４６の形成部位における吸収性コア４の厚みが薄くなるほど、また、溝４５，４６の形成部位における吸収性コア４の坪量が低下するほど、剛性が低くなる。
【００４６】
標準吸収部４０の小領域４７（溝４５，４６の非形成部位）即ち高坪量部の坪量は、好ましくは５０ｇ／ｍ2以上、さらに好ましくは１００ｇ／ｍ2以上、そして、好ましくは１０００ｇ／ｍ2以下、さらに好ましくは９００ｇ／ｍ2以下である。
標準吸収部４０の溝４５，４６の形成部位即ち低坪量部の坪量は、好ましくは１０ｇ／ｍ2以上、さらに好ましくは２０ｇ／ｍ2以上、そして、好ましくは３５０ｇ／ｍ2以下、さらに好ましくは２５０ｇ／ｍ2以下である。
標準吸収部４０の各部の坪量は下記方法により測定される。
【００４７】
＜坪量の測定方法＞
標準吸収部４０における溝４５，４６の形成部位（低坪量部）と小領域４７（高坪量部）との境界線に沿ってフェザー社製の片刃剃刀を用いて切断する。切断して得られた高坪量部の小片１０個をそれぞれ電子天秤（Ａ＆Ｄ社製電子天秤ＧＲ−３００、精度：小数点以下４桁）を用いて測定し、高坪量部の小片１個の平均重量を求める。求めた平均重量を高坪量部の小片１個当りの平均面積で除して高坪量部の坪量を算出する。
次いで、低坪量部と高坪量部との境界線のうちナプキン１の縦方向Ｘに延びた境界線に沿って、長さ１００ｍｍ、幅は低坪量部の幅の設計寸法に合わせて、フェザー社製の片刃剃刀を用いて、細いストライプ状の低坪量部の縦方向Ｘの小片５個を切り出す。得られた小片５個をそれぞれ電子天秤（Ａ＆Ｄ社製電子天秤ＧＲ−３００、精度：小数点以下４桁）を用いて測定し、平均して低坪量部の小片１個の平均重量を求める。求めた平均重量を低坪量部の縦方向Ｘの小片１個当たりの平均面積で除して低坪量部の縦方向Ｘの坪量を算出する。低坪量部の横方向Ｙについても、低坪量部の縦方向Ｘと同様にして坪量を算出する。
【００４８】
また、標準吸収部４０における小領域４７（溝４５，４６の非形成部位）の厚みは、好ましくは０．５ｍｍ以上、さらに好ましくは１．０ｍｍ以上、そして、好ましくは７．０ｍｍ以下、さらに好ましくは３．５ｍｍ以下である。標準吸収部４０の厚みを斯かる範囲とすることで、高い吸収性能と着用者の動きへの追従性をより一層高めることが可能となる。
一方、突出部４１（最大幅部４２、前方側凸部４３及び後方側凸部４４）の厚みは、好ましくは２．０ｍｍ以上、さらに好ましくは３．０ｍｍ以上、そして、好ましくは１０．０ｍｍ以下、さらに好ましくは７．０ｍｍ以下である。突出部４１の厚みを斯かる範囲とすることで、突出部４１が形成されている股下部Ｂにおける良好な装着感と高い吸収性能を両立することが容易となる。また、ナプキン１のように吸収性物品がウイング部を備えている場合には、装着時に股下部Ｂでの吸収性コア４のヨレを抑制しやすくなる。
吸収性コア４の厚みは下記方法により測定される。
【００４９】
＜厚みの測定方法＞
測定対象の吸収性コアを水平な場所にシワや折れ曲がりがないように静置し、５ｃＮ／ｃｍ2の荷重下での厚みを測定する。本発明における厚みの測定には、厚み計 PEACOCK DIAL UPRIGHT GAUGES R5-C(OZAKI MFG.CO.LTD.製）を用いた。このとき、厚み計の先端部と測定対象における測定部分との間に、平面視円形状又は正方形状のプレート（厚さ５ｍｍ程度のアクリル板）を配置して、荷重が５ｃＮ／ｃｍ2となるようにプレートの大きさを調整する。
【００５０】
本実施形態においては、図３に示すように、前方側凸部４３の一対の凸部側縁辺４３０，４３０及び後方側凸部４４の一対の凸部側縁辺４４０，４４０それぞれの、縦方向Ｘの外方への仮想延長線（図示せず）上に、符号４６Ｓで示す標準吸収部溝が形成されている。この標準吸収部溝４６Ｓの存在により、ナプキン１（吸収性コア４）における股下部Ｂに位置する部位が図４に示す如く鞍型に変形した際に、その鞍型の頂部の平面形状がより一層維持されやすくなる。
【００５１】
図５には、ナプキン１の非肌対向面側即ち非肌側シート３側が示されている。ナプキン１の非肌対向面には、図５に示すように、ナプキン１を着衣に固定するズレ止め部８が、前方側凸部４３の一対の凸部側縁辺４３０，４３０及び後方側凸部４４の一対の凸部側縁辺４４０，４４０又はその仮想延長線と平面視において重なるように配されている。より具体的には、ナプキン１の非肌対向面には縦方向Ｘに延びる平面視直線状の一対のズレ止め部８，８がナプキン１の縦方向Ｘの全長にわたって配されているところ、この一対のズレ止め部８，８をナプキン１の厚み方向に投影したときに、両凸部４３，４４の凸部側縁辺４３０，４４０及びその仮想延長線と重なるようになされている。斯かる構成により、ナプキン１の着用中にナプキン１を図４に示すように変形させ得る変形圧力が、その変形の起点となる可撓軸として機能する、両凸部４３，４４の凸部側縁辺４３０，４４０及びその仮想延長線に確実に伝わるようになり、斯かる変形がより一層確実になされるようなる。ズレ止め部８は公知の方法によって形成することができる。
【００５２】
以下、本発明の他の実施形態について図６〜図８を参照して説明する。後述する他の実施形態については、前記実施形態のナプキン１（吸収性コア４）と異なる構成部分を主として説明し、同様の構成部分は同一の符号を付して説明を省略する。特に説明しない構成部分は、前記実施形態のナプキン１（吸収性コア４）についての説明が適宜適用される。
【００５３】
図６に示す吸収性コア４Ａにおいては、最大幅部４２の肌対向面における、前方側凸部４３の一対の凸部側縁辺４３０，４３０及び後方側凸部４４の一対の凸部側縁辺４４０，４４０それぞれの縦方向Ｘの内方への仮想延長線上に、一対の最大幅部溝４８，４８が形成されている。最大幅部溝４８は、前方側凸部４３の凸部側縁辺４３０と後方側凸部４４の凸部側縁辺４４０との間において連続している。最大幅部溝４８は境界溝４５と同様に形成されており、従って最大幅部溝４８の形成部位は、最大幅部４２の周辺部に比して厚み及び坪量が小さく、低剛性である。このように、股下部Ｂの横方向への変形の起点となる両凸部４３，４４の凸部側縁辺４３０，４４０の延長線上に最大幅部溝４８が形成されていることにより、吸収性コア４Ａにおける股下部Ｂに位置する部位が図４に示す如く鞍型に変形した際に、その鞍型の頂部の平面形状がより一層維持されやすくなる。尚、吸収性コア４Ａにおける最大幅部溝４８は、溝４５，４６とは逆に、吸収性コア４の肌対向面に開口を有し、吸収性コア４の非肌対向面側が最大幅部溝４８の底部を形成しているが、これとは逆に、非肌対向面に開口を有していても良い。
【００５４】
また、図６に示す吸収性コア４Ａにおいては、前方側凸部４３の一対の凸部側縁辺４３０，４３０及び後方側凸部４４の一対の凸部側縁辺４４０，４４０それぞれの縦方向Ｘの外方への仮想延長線上に、標準吸収部溝４６どうしの交点４９が位置している。吸収性コア４Ａにおいては、交点４９は複数、より具体的には、前方部Ａ及び後方部Ｃそれぞれにおいて一対形成されている。交点４９の平面視形状は特に制限されないが、図６に示す如き円形状が好ましい。
【００５５】
そして、吸収性コア４Ａにおいては、交点４９の平面視における差し渡し長さが、交点４９に連なる標準吸収部溝４６の幅に比して長い。吸収性コア４Ａにおいては、交点４９は、平面視円形状をなしており、該交点４９の差し渡し長さは、その直径となる。また、ここでいう、交点４９に連なる標準吸収部溝４６の幅とは、溝４６の延びる方向と直交する方向の長さである。交点４９は、平面視円形状の凹部であり、吸収性コア４Ａにおいては、標準吸収部溝４６と同様に、標準吸収部４０の非肌対向面４０ｂに開口を有し、標準吸収部４０の肌対向面４０ａ側が該凹部の底部を形成している。このように、股下部Ｂの横方向への変形の起点となる両凸部４３，４４の凸部側縁辺４３０，４４０の延長線上に、標準吸収部溝４６の幅よりも差し渡し長さの長い凹部状の交点４９が形成されていることにより、吸収性コア４Ａにおける股下部Ｂに位置する部位が図４に示す如く鞍型に変形した際に、その鞍型の頂部の平面形状が一層維持されやすくなる。その交点４９が、平面視円形形状をなしていることで、より身体形状にフィットした鞍型に変形しやすく、その鞍型の頂部の平面形状が、より一層維持されやすくなる。交点４９は、前記積繊装置を用いて吸収性コア４Ａを製造する際に、コア形成材料が積繊される前記集積用凹部の底部における交点４９に対応する部位に、該集積用凹部の上部開口に向かって起立する凸部を設けるなどして、コア形成材料の積繊量を周辺部よりも少なくすることで形成することができる。
【００５６】
図７に示す吸収性コア４Ｂにおいては、複数の直線状の標準吸収部溝４６が縦方向Ｘ及び横方向Ｙの双方に交差する第１交差方向に延びていると共に、複数の直線状の標準吸収部溝４６が該第１交差方向に交差する第２交差方向にも延びており、このように互いに直交する複数本の直線状の標準吸収部溝４６及び境界溝４５によって、標準吸収部４０は、平面視菱形形状の複数の小領域４７に区画化されている。吸収性コア４Ｂによっても、吸収性コア４（図３参照）と同様の効果が奏される。
【００５７】
図８（ａ）〜図８（ｄ）には、本発明に係る吸収性コアにおける突出部（前方側凸部、後方側凸部）の変形例が示されている。これらの変形例は、前方側凸部４３及び後方側凸部４４の平面視形状が互いに異なる。
図８（ａ）に示す吸収性コア４Ｃにおいては、両凸部４３，４４の縦方向Ｘに延びる凸部側縁辺４３０，４４０が、横方向Ｘの外方に向かって凸に湾曲している。
図８（ｂ）に示す吸収性コア４Ｄにおいては、両凸部４３，４４の縦方向Ｘの端部が平面視三角形形状をなしており、両凸部４３，４４の凸部側縁辺４３０，４４０が、最大幅部４２の縦縁辺４２１，４２２に連接され縦方向Ｘに平行に延びる部分と、該部分に連接され縦方向Ｘの外方且つ横方向Ｙの内方に延びる部分とを有している。
図８（ｃ）に示す吸収性コア４Ｅ及び図８（ｄ）に示す吸収性コア４Ｆにおいては、それぞれ、平面視において両凸部４３，４４の横方向Ｙの長さ即ち幅が、縦方向Ｘの外方に向かうに従って漸次減少する。
【００５８】
以上、本発明をその実施形態に基づいて説明したが、本発明は、前記実施形態に制限されることなく適宜変更が可能である。
例えば、前記実施形態においては、最大幅部４２、前方側凸部４３及び後方側凸部４４からなる、突出部４１は「坪量」が均一であったが、例えば、横方向Ｙの中央から横方向Ｙの両外方に向かうに従って「坪量」が漸次減少する形態でも良い。より具体的には例えば、図３を参照して、両凸部４３，４４及び一対の仮想延長線４５０，４５０に挟まれた領域、即ち突出部４１の横方向Ｙの中央部は、吸収性コア４において坪量が最大且つ均一の肉厚部であり、突出部４１の横方向Ｙの両側部は、横方向Ｙの外方に向かうに従って坪量が漸次減少する肉薄部であっても良い。このような、坪量が横方向において不均一な突出部においては、肉厚な横方向中央部と肉薄の横方向両側部と間の剛性差が大きいため、吸収性コアにおける股下部に位置する部位が図４に示す如く鞍型に変形した際に、その鞍型の頂部の平面形状がより一層維持されやすくなる。
【００５９】
また、前記実施形態においては、最大幅部４２、前方側凸部４３及び後方側凸部４４からなる、突出部４１は「厚み」が均一であったが、例えば、横方向Ｙの中央から横方向Ｙの両外方に向かうに従って「厚み」が漸次減少する形態でも良い。より具体的には例えば、図３を参照して、両凸部４３，４４及び一対の仮想延長線４５０，４５０に挟まれた領域、即ち突出部４１の横方向Ｙの中央部は、吸収性コア４において厚みが最大且つ均一の肉厚部であり、突出部４１の横方向Ｙの両側部は、横方向Ｙの外方に向かうに従って厚みが漸次減少する肉薄部であっても良い。このような、厚みが横方向において不均一な突出部においては、肉厚な横方向中央部と肉薄の横方向両側部と間の剛性差が大きいため、吸収性コアにおける股下部に位置する部位が図４に示す如く鞍型に変形した際に、その鞍型の頂部の平面形状がより一層維持されやすくなる。
【００６０】
また前記実施形態においては、突出部４１が標準吸収部４０の非肌対向面４０ｂから非肌側シート３側に突出していたが、これとは逆に、標準吸収部４０の肌対向面４０ａから肌側シート２側に突出していても良い。
また前記実施形態においては、溝４５，４６は、吸収性コア４の非肌対向面に開口を有していたが、これとは逆に、肌対向面に開口を有していても良い。
また、吸収性や防漏性等の向上の観点から、肌側シート２と吸収性コア４（吸収性コア４の肌対向面を被覆する前記コアラップシート）との間に、各種不織布からなる液透過性シートが介在配置されていても良い。同様の観点から、ナプキン１の肌対向面に、肌側シート２及び吸収性コア４が一体的に凹陥してなるいわゆる防漏溝が形成されていても良い。前述した一の実施形態のみが有する部分は、すべて適宜相互に利用できる。
【符号の説明】
【００６１】
１  生理用ナプキン（吸収性物品）
２  肌側シート
３  非肌側シート
４，４Ａ，４Ｂ，４Ｃ，４Ｄ，４Ｅ，４Ｆ  吸収性コア
４０  標準吸収部
４１  突出部
４２  最大幅部
４２０  側縁辺
４２１  前側縦縁辺
４２２  後側縦縁辺
４３  前方側凸部
４３０  前方側凸部側縁辺
４４  後方側凸部
４４０  後方側凸部側縁辺
４５  境界溝
４６，４６Ｓ  標準吸収部溝
４７  小領域
４８  最大幅部溝
４９  標準吸収部溝どうしの交点（凹部）
５  吸収性本体
８  ズレ止め部
１０  隆起部
Ａ  前方部
Ｂ  股下部
Ｃ  後方部
Ｘ  縦方向
Ｙ  横方向
【図１】
2018102471.tif 000003
【図２】
2018102471.tif 000004
【図３】
2018102471.tif 000005
【図４】
2018102471.tif 000006
【図５】
2018102471.tif 000007
【図６】
2018102471.tif 000008
【図７】
2018102471.tif 000009
【図８】
2018102471.tif 000010